(57)【要約】【課題】電車内や病院内などで医療機器などへの影響を与えず、通信を可能にすることを目的とする。【解決手段】音声通話及びデータ通信が可能な携帯端末１００に、携帯電話システムを用いた通信を行う携帯電話通信部１０１と、ＵＷＢ通信システムを用いた通信を行うＵＷＢ通信部１０２を備えるよう構成する。また、前記携帯端末１００とＵＷＢ通信システムによる通信を行うことで、前記携帯端末を携帯電話システムのネットワークへ接続する機能を有するＵＷＢ通信制御装置２００を、携帯電話端末による通信が許可されないエリア４００に設置する。これにより、携帯電話システムによる通信が許可されないエリアにおいても、周囲の機器などに影響を与えることなく、携帯電話システムに接続する通信が可能になる。【選択図】　図４
2004135235.tif 000002
【特許請求の範囲】
【請求項１】
音声通話及びデータ通信が可能な携帯端末において、携帯電話システムを用いた通信を行う携帯電話通信部と、ＵＷＢ通信システムを用いた通信を行うＵＷＢ通信部を備えることを特徴とする携帯端末。
【請求項２】
携帯電話通信部による通信を許可されないエリアでは、ＵＷＢ通信部を用いて通信することを特徴とする請求項１記載の携帯端末。
【請求項３】
ＵＷＢ通信システムのみによる通信が許可されていることを示すＵＷＢ限定通信情報を用いて、ＵＷＢ通信システムのみによる通信が許可されているエリアに位置することを検出し、自動的にＵＷＢ通信部による通信に切り替えることを特徴とする請求項１または２記載の携帯端末。
【請求項４】
ＵＷＢ通信部による通信を行っている間は、携帯電話通信部の動作を停止させることを特徴とする請求項１乃至３のいずれかに記載の携帯端末。
【請求項５】
携帯電話通信部の動作を停止させている状態で、ＵＷＢ通信システムのみによる通信が許可されているエリアの外に移動した場合、携帯電話通信部の動作を自動的に再開させることを特徴とする請求項４に記載の携帯端末。
【請求項６】
携帯電話システムのネットワークへ接続され、かつ、ＵＷＢ通信システムを用いた通信を行うＵＷＢ通信部を備え、請求項１乃至５のいずれかに記載の携帯端末とＵＷＢ通信システムによる通信を行うことで、前記携帯端末を携帯電話システムのネットワークへ接続することを特徴とするＵＷＢ通信制御装置。
【請求項７】
ＵＷＢ通信システムのみによる通信が許可されているエリアに対し、ＵＷＢ通信システムのみによる通信が許可されていることを示すＵＷＢ限定通信情報を、定期的に携帯端末に送信することを特徴とする請求項６に記載のＵＷＢ通信制御装置。
【請求項８】
請求項１乃至５のいずれかの携帯端末と、請求項６または７に記載のＵＷＢ通信制御装置とを備えた通信システムにおいて、前記携帯端末が前記ＵＷＢ通信制御装置と通信ができなかった場合、前記別の携帯端末がＵＷＢ通信を中継して前記ＵＷＢ通信制御装置とＵＷＢ通信を行うＵＷＢ通信システム。
【請求項９】
ＵＷＢ通信要求元の前記携帯端末が、前記ＵＷＢ通信を中継した別の携帯端末に対し、あらかじめ定めた料金を支払うことで、ＵＷＢ通信の中継を行うＵＷＢ通信システム。
【請求項１０】
ＵＷＢ通信システムによる通信時に、ＵＷＢ通信システムによる通信を行っていることを周囲に明示する通信モード表示部を備えた請求項１乃至５のいずれかに記載の携帯端末。
【請求項１１】
通信モード表示部が、ＵＷＢ通信システムによる通信時に点灯または点滅するランプであることを特徴とする請求項１０に記載の携帯端末。
【請求項１２】
通信モード表示部が、ＵＷＢ通信システムによる通信時にあらかじめ定めた画像を表示するディスプレイであることを特徴とする請求項１０に記載の携帯端末。
【発明の詳細な説明】
【０００１】
【発明の属する技術分野】
本発明は、ＵＷＢを用いて通信を行う携帯端末及び携帯端末と既存の携帯電話システムとの接続を行うＵＷＢ通信制御装置に関するものである。
【０００２】
【従来の技術】
移動先において、音声通話、電子メール、及び、画像転送を含むデータ通信を行うためのシステムとして、携帯電話端末を用いたシステムが広く一般に普及しており、その通話エリアも非常に広い範囲をカバーされていることから、ほとんどの移動先において、携帯電話端末を用いた各種通信が可能な状況になっている。
【０００３】
しかしながら、例えば、電車内や病院内などでは、医療機器などへの影響に対する考慮などから、ＰＤＣやＰＨＳのような携帯電話システムを用いて通信を行う携帯電話端末の使用が制限されることが少なくない。
【０００４】
前記のような医療機器などの周囲の環境やその他の通信システムへの影響が少ない通信技術として、ＵＷＢを用いた通信技術が近年注目されている。ＵＷＢを用いた通信システムは、例えばこれまでに、コンピュータとその周辺機器との接続に使われるＵＳＢ（Ｕｎｉｖｅｒｓａｌ　Ｓｅｒｉａｌ　Ｂｕｓ）の無線版としてＵＷＢを応用する方法が提案されている。また、特許文献１のように、追跡や遠隔計測を行うシステムにおいて、移動対象物との無線通信にＵＷＢを用いた通信を用い、移動対象物と監視装置などによるネットワークを形成する方法が提案されている。
【０００５】
【特許文献１】
特開２００１−３０８８９９号公報
【０００６】
【発明が解決しようとする課題】
しかし、これらの従来技術は、前記のような既存の通信システムの利用が制限されたエリアにおいて、その既存の通信システムの継続した利用を解決する技術に関するものではない。
【０００７】
本願発明は、電車内や病院内などで医療機器への影響を防ぐために携帯電話端末の使用が制限されているケースのように、携帯電話端末による通信が許可されない場所においても、医療機器などへの影響を与えず、通信を可能にすることを目的とする。
【０００８】
【課題を解決するための手段】
この課題を解決するために本発明は、携帯電話端末に既存の携帯電話通信部の他に、ＵＷＢを用いた通信を行うＵＷＢ通信部を備えるように構成し、また、既存の携帯電話システムによる通信を許可されない場所に、携帯電話端末のＵＷＢ通信部とＵＷＢを用いて通信を行うためのＵＷＢ通信部及び既存の携帯電話システムのネットワークへのインタフェースを備えたＵＷＢ通信制御装置を設置するように構成したものである。
【０００９】
ＵＷＢ（Ｕｌｔｒａ　Ｗｉｄｅｂａｎｄ）通信技術は、１ナノ秒以下という非常に短い時間幅のパルスを使い、そのパルスの時間軸上の位置や位相を変化されることで、搬送波を用いずに情報を伝送する技術である。ＵＷＢの特徴の一つとして、１ナノ秒以下という非常に短い時間幅のパルスを使うことから、ＵＷＢ信号が占有する信号帯域は数ＧＨｚと非常に広くなるが、搬送波を用いた変調を行わず、前記パルスを送出することで通信を行うため、送信電力スペクトル密度が非常に低く、ノイズの信号レベル以下となり、その結果周囲の他の通信システムや各種機器への影響が非常に小さくなることが挙げられる。また、常に電波を送出する搬送波を用いた通信方式とは異なり、きわめて短いパルスを送出するだけであるため、消費電力を非常に小さくでき、パルスの送出間隔を短くすることで非常に高速な通信が可能となる。さらには、搬送波を用いた通信方式に必要な周波数変換用のミキサ、アンプ、フィルタなどが不要となるため、回路を小型化、低コスト化が図れる。
【００１０】
また、ＵＷＢの伝送速度は、通信距離が大きくなるにつれて急激に減少し、１０ｍ以内の通信距離では数百Ｍｂｐｓの伝送が可能であるが、通信距離が倍の２０ｍとなると伝送速度は数十Ｍｂｐｓ程度である。したがって、上記のような限られたエリアにおける通信においては特に有効な通信方式である。
【００１１】
以上のようなＵＷＢの特徴を利用し、上述した本発明のＵＷＢ通信システムを構成することにより、ＵＷＢ既存の携帯電話端末を大型化せず、低消費電力化が可能となり、さらには、端末コストを大きく増加させること無く、既存の携帯電話システムで通信が許可されない場所においても、高速通信が可能な携帯端末を実現することができる。
【００１２】
【発明の実施の形態】
本発明の請求項１に記載の発明は、音声通話及びデータ通信が可能な携帯端末において、携帯電話システムを用いた通信を行う携帯電話通信部と、ＵＷＢ通信システムを用いた通信を行うＵＷＢ通信部を備えることを特徴とする携帯端末であり、携帯電話システムとＵＷＢ通信システムのどちらのシステムを用いても通信が可能になるという作用を有する。
【００１３】
請求項２に記載の発明は、請求項１に記載の携帯端末において、携帯電話通信部による通信を許可されないエリアでは、ＵＷＢ通信部を用いて通信することを特徴とする携帯端末であり、携帯電話システムで通信が許可されない場所においても、ＵＷＢ通信システムを用いることで、通信が可能になるという作用を有する。
【００１４】
請求項３に記載の発明は、請求項１または２に記載の携帯端末において、ＵＷＢ通信システムのみによる通信が許可されていることを示すＵＷＢ限定通信情報を用いて、ＵＷＢ通信システムのみによる通信が許可されているエリアに位置することを検出し、自動的にＵＷＢ通信部による通信に切り替えることを特徴とするものであり、ＵＷＢ限定通信情報により、携帯電話通信部とＵＷＢ通信部を備えた携帯端末が、自動的にＵＷＢ通信部による通信に切り替えることができるという作用を有する。
【００１５】
請求項４に記載の発明は、請求項１乃至３のいずれかに記載の携帯端末において、ＵＷＢ通信部による通信を行っている間は、携帯電話通信部の動作を停止させることを特徴とするものであり、ＵＷＢ通信部による通信時は、携帯電話通信部の通信の影響を受け得る機器への影響を排除し、かつ携帯電話通信部での消費電力を小さくすることができるという作用を有する。
【００１６】
請求項５に記載の発明は、請求項４に記載の携帯端末において、携帯電話通信部の動作を停止させている状態で、ＵＷＢ通信システムのみによる通信が許可されているエリアの外に移動した場合、携帯電話通信部の動作を自動的に再開させることを特徴とするものであり、ＵＷＢ通信システムのみによる通信が許可されているエリアの外に移動した場合に、自動的に携帯電話通信部を用いた通信を可能にすることができるという作用を有する。
【００１７】
請求項６に記載の発明は、携帯電話システムのネットワークへ接続され、かつ、ＵＷＢ通信システムを用いた通信を行うＵＷＢ通信部を備え、請求項１乃至５のいずれかに記載の携帯端末とＵＷＢ通信システムによる通信を行うことで、前記携帯端末を携帯電話システムのネットワークへ接続することを特徴とするもので、携帯電話通信部とＵＷＢ通信部を備えた携帯端末が、携帯電話システムで通信が許可されない場所においても、ＵＷＢ通信システムを用いることで、携帯電話システムのネットワークとの通信が可能になるという作用を有する。
【００１８】
請求項７に記載の発明は、ＵＷＢ通信システムのみによる通信が許可されているエリアに対し、ＵＷＢ通信システムのみによる通信が許可されていることを示すＵＷＢ限定通信情報を、定期的に携帯端末に送信することを特徴とする請求項６に記載のＵＷＢ通信制御装置であり、携帯電話通信部とＵＷＢ通信部を備えた携帯端末が、ＵＷＢ通信システムのみによる通信が許可されているエリアに位置することを検出することができるという作用を有する。
【００１９】
請求項８に記載の発明は、請求項１乃至５のいずれかに記載の携帯端末と、請求項６または７に記載のＵＷＢ通信制御装置とを備えた通信システムにおいて、前記携帯端末が前記ＵＷＢ通信制御装置と通信ができなかった場合、前記別の携帯端末がＵＷＢ通信を中継して前記ＵＷＢ通信制御装置とＵＷＢ通信を行うものであり、ＵＷＢ通信部を備えた携帯端末が、ＵＷＢ通信制御装置と直接通信できない場合でも、別のＵＷＢ通信部を備えた携帯端末による中継により、間接的にＵＷＢ通信制御装置と通信可能となる作用を有する。
【００２０】
請求項９に記載の発明は、ＵＷＢ通信要求元の携帯端末が、ＵＷＢ通信を中継した別の携帯端末に対し、あらかじめ定めた料金を支払うことで、ＵＷＢ通信の中継を行うものであり、ＵＷＢ通信部を備えた携帯端末が、ＵＷＢ通信制御装置と直接通信できない場合でも、別のＵＷＢ通信部を備えた携帯端末による中継により、間接的にＵＷＢ通信制御装置と通信可能となり、かつ中継携帯端末のユーザも別ユーザの通信の中継を行うことによる報酬を受けることができるという作用を有する。
【００２１】
請求項１０に記載の発明は、ＵＷＢ通信システムによる通信時に、ＵＷＢ通信システムによる通信を行っていることを周囲に明示する通信モード表示部を備えた請求項１乃至５のいずれかに記載の携帯端末であり、携帯電話システムによる通信に影響を受ける機器が存在するエリアにて、前記機器に影響を与えないＵＷＢを用いた通信を行っていることを周囲に明示することができるという作用を有する。
【００２２】
請求項１１に記載の発明は、請求項１０に記載の携帯端末において、通信モード表示部が、ＵＷＢ通信システムによる通信時に点灯または点滅するランプであることを特徴とする請求項１０に記載の携帯端末であり、携帯電話システムによる通信に影響を受ける機器が存在するエリアにて、前記機器に影響を与えないＵＷＢを用いた通信を行っていることを周囲に明示することができるという作用を有する。
【００２３】
請求項１２に記載の発明は、請求項１０に記載の携帯端末において、通信モード表示部が、ＵＷＢ通信システムによる通信時にあらかじめ定めた画像を表示するディスプレイであることを特徴とする請求項１０に記載の携帯端末であり、携帯電話システムによる通信に影響を受ける機器が存在するエリアにて、前記機器に影響を与えないＵＷＢを用いた通信を行っていることを周囲に明示することができるという作用を有する。
【００２４】
以下、本発明の実施の形態について図１から図６を用いて説明する。
【００２５】
（実施の形態１）
図４は、本発明の実施の形態１におけるＵＷＢ通信システムの構成を示すブロック図である。
【００２６】
図４は、既存の携帯電話システムによる通信が許可されていないエリアであり、かつ、ＵＷＢ通信システムにより通信可能なエリア（ＵＷＢ通信エリア４００）における、携帯端末１００とＵＷＢ通信制御装置２００による通信を示すものである。ＵＷＢ通信制御装置２００は、電車や病院など既存の携帯電話システムによる通信が許可されていないエリアをＵＷＢ通信によりカバーするように設置され、既存の携帯電話システムのネットワークに、有線又は無線による中継回線２０４にて接続されている。
【００２７】
携帯端末１００のユーザは、自らが携帯電話システムによる通信が許可されていないエリアに位置することを認識できる場合や、または、電波環境によって携帯電話システムによる通信が可能でない場合、携帯端末１００のユーザインタフェース部１０５を介して、ＵＷＢ通信システムを用いた通信に切り替える。
【００２８】
また、ＵＷＢ通信制御装置２００は、ＵＷＢ通信エリア４００が、既存の携帯電話システムによる通信が許可されていないエリアであることを示すＵＷＢ限定通信情報を送信するように構成しても良い。この場合、携帯端末１００は、自らが携帯電話システムによる通信が許可されていないエリアに位置することを、ＵＷＢ通信部１０２で受信したＵＷＢ限定通信情報を用いて認識し、自動的にＵＷＢ通信システムによる通信に切り替えることができる。
【００２９】
上記の二つのいずれかの方法で、ＵＷＢ通信システムによる通信に切り替えた携帯端末１００は、ＵＷＢ通信部１０２により、ＵＷＢ通信制御装置２００を介して、外部の携帯電話システムネットワークへ接続する。
【００３０】
次に、携帯端末１００について、図１を用いて説明する。
【００３１】
携帯端末１００は、携帯電話通信部１０１とＵＷＢ通信部１０２の二つの送受信部を備え、携帯電話通信部１０１による既存の携帯電話システムを用いた通信と、ＵＷＢ通信部１０２によるＵＷＢ通信システムを用いた通信を行うことが可能である。どちらの通信システムを用いて通信を行うかは、通信方式制御部１０３が後述する方法により選択し、選択された送受信部とデータの受け渡しを行う。送受信データは音声通話・データ通信処理部１０４に渡され、音声通話の場合は音声通話処理に、電子メールその他のデータ通信の場合はデータ通信処理が適宜行われる。ユーザインタフェース部１０５は、音声入出力を行うマイクやスピーカ、文字や画像の表示を行うディスプレイ、および、ユーザが文字入力、端末制御などに利用する入力ボタンなどを含む。
【００３２】
次に、ＵＷＢ通信を行っている旨の表示を行うためのユーザインタフェース部１０５内に設けたＵＷＢ通信モード表示手段について、図６を用いて説明する。
【００３３】
携帯端末１００ｅは、携帯電話通信部１０１ｅとＵＷＢ通信部１０２ｅの二つの送受信部を備え、携帯電話通信部１０１ｅによる既存の携帯電話通信システムを用いた通信と、ＵＷＢ通信部１０２ｅによるＵＷＢ通信システムを用いた通信を行うことが可能であり、通信方式制御部１０３から今どちらの通信方式を用いて通信を行っているかの通信方式信号をユーザインタフェース部１０５に出力する。通信方式制御部１０３からの通信方式信号は、ユーザインタフェース部１０５内のＵＷＢ通信モード表示手段に入力され、ＵＷＢによる通信を行っている場合には、ＵＷＢ通信を行っている旨の表示を行うものである。
【００３４】
図６（ａ）は、携帯端末１００ｅの背面を示している。携帯端末１００ｅの背面には、ＵＷＢ通信部１０２ｅを用いたＵＷＢによる通信を行っている場合に点灯または点滅するランプ６００ｅが搭載されている。また、ランプ６００ｅ付近には、ランプ６００ｅがＵＷＢ通信モードを示すものであることを明示するための記号６０１ｅが記載されている。このランプ６００ｅ及び記号６０１ｅにより、ＵＷＢ通信システムによる通信時、ＵＷＢを用いた通信であることを周囲に明示することができる。
【００３５】
また、図６（ｂ）は、携帯電話通信部１０１ｆとＵＷＢ通信部１０２ｆの二つの送受信部を備え、携帯電話通信部１０１ｆによる既存の携帯電話通信システムを用いた通信と、ＵＷＢ通信部１０２ｆによるＵＷＢ通信システムを用いた通信を行うことが可能である携帯端末１００ｆの背面を示している。携帯端末１００ｆの背面には、ＵＷＢ通信部１０２ｆを用いたＵＷＢによる通信を行っている場合に、ＵＷＢ通信であることを明示するあらかじめ定められた画像を表示するディスプレイ６００ｆが搭載されている。このディスプレイ６００ｆに表示された画像により、ＵＷＢ通信システムによる通信時、ＵＷＢを用いた通信であることを周囲に明示することができる。
【００３６】
以上のようなＵＷＢ通信モード表示手段により、携帯電話システムによる通信に影響を受ける機器が存在するエリアにて、前記機器に影響を与えないＵＷＢを用いた通信を行っていることを周囲に明示することができる。
【００３７】
次に、ＵＷＢ通信制御装置について、図２のブロック構成図を用いて説明する。
【００３８】
ＵＷＢ通信制御装置２００は、携帯端末１００とＵＷＢ通信システムを用いて通信を行うためのＵＷＢ通信部２０２を備える。また、ＵＷＢ通信制御装置２００は、既存の携帯電話システムのネットワークに中継回線２０４を介して接続されており、携帯電話システムのネットワークとは、携帯電話インタフェース部２０１を用いて通信を行う。ＵＷＢ通信部２０２を用いて受信したデータは、通信方式変換部２０３にて携帯電話システムで利用可能なデータに変換され、携帯電話インタフェース部２０１に渡される。
【００３９】
逆に、携帯電話システムから携帯電話インタフェース部２０１に渡されたデータは、通信方式変換部２０３にてＵＷＢ通信システムで利用可能なデータに変換され、ＵＷＢ通信部２０２より送信される。図３にＵＷＢ通信システムで用いるデータのフォーマットの一例を示す。ＵＷＢ通信データ３００は、ＵＷＢ通信データであることを示す識別情報、同期用データ、通信元と通信宛先の情報、後述するユーザデータ部のデータの種類を示す情報など、ＵＷＢ通信に必要な情報を含むＵＷＢ制御データ部３０１と、ユーザの識別情報であるＵＷＢ　ＩＤ部３０２と、ユーザデータ部３０３及びＵＷＢ限定通信情報３０４から構成される。ＵＷＢ　ＩＤ部３０２は、携帯電話システム用のユーザデータ３０３を送信したユーザの識別情報であり、例えばユーザの携帯電話番号であっても良い。本実施の形態では、ユーザデータ部３０３を既存の携帯電話システムで用いる携帯電話システムデータが格納されている例で考える。
【００４０】
なお、携帯端末１００は、ＵＷＢ通信システムによる通信を行っている間は、携帯電話通信部１０１の回路動作を停止させるように構成しても良く、これにより携帯端末の消費電力を抑えることができる。
【００４１】
携帯端末１００のユーザは、ＵＷＢ通信エリア４００から、既存の携帯電話システムによる通信が許可されているエリアへ移動した際に、携帯電話通信部１０１の回路動作を停止させている場合は、携帯電話通信部１０１の回路動作を自動的に再開させ、携帯電話通信部１０１による携帯電話システムを用いた通信に切り替えるように構成しても良い。ＵＷＢ通信エリア４００から、既存の携帯電話システムによる通信が許可されているエリアへの移動の検出には、例えば、ＵＷＢ通信制御装置２００からのＵＷＢ限定通信情報３０４の受信ができなくなったタイミングを用いることができる。ＵＷＢ限定通信情報３０４は、図３に示すようにＵＷＢ通信データ３００の専用フィールドを設けてもよく、またはＵＷＢ制御データ３０１の一部として設けてもよく限定されるものではない。ＵＷＢ限定通信情報３０４は、エリア内であるか否かを示すフラグで、エリア内の場合は“１”、エリア外の場合は“０”としてもよい。
【００４２】
また、携帯端末１００のユーザが、既存の携帯電話システムによる通信が許可されているエリアへ移動したと認識できる場合は、携帯端末１００のユーザインタフェース部を介して、携帯電話通信部１０１の回路動作再開し、携帯電話通信部１０１による携帯電話システムを用いた通信に切り替えることができるように構成しても良い。
【００４３】
なお、以上の説明では、ＵＷＢ通信エリア４００内に１台のＵＷＢ通信制御装置２００が設置された場合を用いたが、ＵＷＢ通信エリア４００がＵＷＢ通信制御装置の通信可能エリアより大きい場合は、ＵＷＢ通信エリア４００内に複数台のＵＷＢ通信制御装置を設置し、さらにこれらのＵＷＢ通信制御装置を互いに接続して、携帯電話インタフェース部を一つに共通化した構成にすることによっても、携帯端末１００がＵＷＢ通信システムを用いた通信サービスを利用可能となり、またＵＷＢ通信制御装置も小型化できる。
【００４４】
（実施の形態２）
図５は、本発明の実施の形態２におけるＵＷＢ通信システムを説明するものである。図５は、既存の携帯電話システムによる通信が許可されていないエリアであり、かつ、ＵＷＢ通信システムにより通信可能なエリア（ＵＷＢ通信エリア５００）における、携帯端末１００ａ、ｂ、ｃ、ｄ及びＵＷＢ通信制御装置２００による通信を示すものである。ＵＷＢ通信制御装置２００は、電車や病院など既存の携帯電話システムによる通信が許可されていないエリアをＵＷＢ通信によりカバーするように設置され、既存の携帯電話システムのネットワークに、有線又は無線による中継回線２０４にて基幹ネットワークを介して接続されている。
【００４５】
また、図５は、ＵＷＢ通信制御装置２００及び携帯端末１００ｄがＵＷＢにより通信可能なエリアをＵＷＢ通信エリア５０１、携帯端末１００ｃ、ｄがＵＷＢにより通信可能なエリアをＵＷＢ通信エリア５０２、携帯端末１００ｂ、ｃがＵＷＢにより通信可能なエリアをＵＷＢ通信エリア５０３、携帯端末１００ａ、ｂがＵＷＢにより通信可能なエリアをＵＷＢ通信エリア５０４で示す例である。なお、１０１ａ、ｂ、ｃ、ｄは、各携帯端末の携帯電話通信部、１０２ａ、ｂ、ｃ、ｄは、ＵＷＢ通信部であり、以下のＵＷＢによる通信では、各携帯端末がＵＷＢ通信部を用いて通信を行うものとする。
【００４６】
ここでは、ＵＷＢ通信要求元の携帯端末を１００ａとし、携帯端末１００ａは直接ＵＷＢ通信可能な相手は、携帯端末１００ｂだけである場合を考える。
ＵＷＢ通信要求元の携帯端末１００ａは、通信データが発生した時点で、直接ＵＷＢ通信可能なＵＷＢ通信制御装置が近くに存在するかどうかを確かめるため、ＵＷＢ通信制御装置向けの通信依頼データを送信する。例えばＵＷＢ通信データ３００のＵＷＢ制御データ部のユーザデータ部の種類を示すフィールドに、ＵＷＢ通信制御装置向けの通信依頼データであることを示すデータを格納し、周囲にこのＵＷＢ通信データを送信して、ＵＷＢ通信制御装置の応答があるかどうかを確かめることで、ＵＷＢ通信エリア５０４内にＵＷＢにより通信可能なＵＷＢ制御装置が近くに存在するかどうかが確認できる。また、実施の形態１で示したＵＷＢ限定通信情報を、携帯端末１００ａが受信できるかどうかによっても、ＵＷＢ通信エリア５０４内にＵＷＢにより通信可能なＵＷＢ通信制御装置が近くに存在するかどうかが確認できる。
【００４７】
携帯端末１００ａは、ＵＷＢ通信エリア５０４内でＵＷＢにより通信可能なＵＷＢ通信制御装置を確認できなかった場合は、ＵＷＢ通信エリア５０４内に自身とＵＷＢにより直接通信可能な携帯端末が存在するかどうかを確かめる。　これは、例えば、ＵＷＢ通信データ３００のＵＷＢ制御データ部のユーザデータ部の種類を示すフィールドに、携帯端末向けの通信依頼データであることを示すデータを格納し、周囲にこのＵＷＢ通信データを送信して、他の携帯端末の応答があるかどうかを確かめることで、ＵＷＢ通信エリア５０４内にＵＷＢにより通信可能な携帯端末が近くに存在するかどうかが確認できる。
【００４８】
この携帯帯端末向けの通信依頼データが格納されたＵＷＢ通信データ３００を受信した携帯端末１００ｂは、ＵＷＢにより通信可能であることを示すＵＷＢ通信データを、携帯端末１００ａに対し送信する。これにより、携帯端末１００ａ、ｂ間にＵＷＢ通信による中継通信路が設立される。
【００４９】
上記の中継通信路設立手順を、ＵＷＢ通信制御端末２００と通信可能な携帯端末（図５では携帯端末１００ｄ）が見つかるまで、次々に各携帯端末間で繰り返し、最終的に、携帯端末１００ａとＵＷＢ通信制御端末２００との間に中継回線を設立する。
【００５０】
以上のようなＵＷＢ通信中継手段を用いることで、ＵＷＢ通信制御装置とＵＷＢ通信システムにより直接通信できない携帯端末が、ＵＷＢ通信制御装置と接続することができ、その結果、携帯電話システムネットワークとも通信可能となる。
【００５１】
なお、上記の中継通信路設立手順の中で、中継役となる携帯端末の情報を、ＵＷＢ通信制御装置が収集し、その情報は基幹ネットワークを介して、中継情報の管理及び課金処理を行うＵＷＢ通信中継管理局５０５に送ることで、ＵＷＢによる通信要求元の携帯端末１００ａから、中継役の携帯端末１００ｂ、ｃ、ｄに対し、あらかじめ定めた中継代金を支払う課金システムを実現することができる。
【００５２】
このとき、ＵＷＢによる通信要求元の携帯端末には、中継に要するコストに応じて中継通信を行うかどうかを選択できる機能を有するよう構成しても良い。
【００５３】
また、中継役の携帯端末に対しても、他の携帯端末からの中継依頼を受けるかどうかを選択する機能を有するよう構成しても良い。
【００５４】
【発明の効果】
以上のように本発明の携帯電話通信部とＵＷＢ通信部を備えた携帯端末、及び、ＵＷＢ通信制御装置、さらには、ＵＷＢ通信中継手段によれば、携帯電話システムによる通信の影響を受ける機器が存在することなどの理由で、携帯電話システムによる通信が許可されない場所においても、前記機器への影響を与えることなく、携帯電話システムに接続する通信が可能になる。
【００５５】
また、以上のように本発明の本発明の携帯電話通信部とＵＷＢ通信部を備えた携帯端末、及び、ＵＷＢ通信モード表示手段によれば、携帯電話システムによる通信に影響を受ける機器が存在するエリアにて、前記機器に影響を与えないＵＷＢを用いた通信を行っていることを周囲に明示することができる。
【図面の簡単な説明】
【図１】本発明の一実施の形態による携帯端末の構成を示すブロック図
【図２】本発明の一実施の形態によるＵＷＢ通信制御装置の構成を示すブロック図
【図３】本発明の一実施の形態によるＵＷＢ通信システムで用いるデータのフォーマットの一例を示す図
【図４】本発明の一実施の形態によるＵＷＢ通信エリアの構成を示すブロック図
【図５】本発明の一実施の形態によるＵＷＢ通信中継手段を説明する図
【図６】本発明の一実施の形態によるＵＷＢ通信モード表示手段を説明する図
【符号の説明】
１００、１００ａ、１００ｂ、１００ｃ、１００ｄ、１００ｅ、１００ｆ　携帯端末
１０１、１０１ａ、１０１ｂ、１０１ｃ、１０１ｄ、１０１ｅ、１０１ｆ　携帯電話通信部
１０２、１０２ａ、１０２ｂ、１０２ｃ、１０２ｄ、１０２ｅ、１０２ｆ　ＵＷＢ通信部
１０３　通信方式制御部
１０４　音声通話・データ通信処理部
１０５　ユーザインタフェース部
２００　ＵＷＢ通信制御装置
２０１　携帯電話インタフェース部
２０２　ＵＷＢ通信部
２０３　通信方式変換部
２０４　中継回線
３００　ＵＷＢ通信データ
３０１　ＵＷＢ制御データ部
３０２　ＵＷＢ　ＩＤ部
３０３　ユーザデータ部
４００、５００、５０１、５０２、５０３、５０４　ＵＷＢ通信エリア
５０５　ＵＷＢ通信中継管理局
６００ｅ　ランプ
６００ｆ　ディスプレイ
【図１】
2004135235.tif 000003
【図２】
2004135235.tif 000004
【図３】
2004135235.tif 000005
【図４】
2004135235.tif 000006
【図５】
2004135235.tif 000007
【図６】
2004135235.tif 000008